(57)【要約】【課題】電子購買システムにおいて、既製品だけでなく、個々の顧客の希望に従って印刷がなされる商品も購入することを可能にすること。【解決手段】顧客の端末からネットワークを介して商品の購入を電子的に行える電子購買システムにおいて、前記商品が個々の顧客の希望に従って印刷がなされるものである場合に、顧客の端末にて、顧客に、基本テンプレートを選択させ、付加情報を入力させることにより、商品になされる印刷に対する顧客の希望を取る機能を有することを特徴とする電子購買システム。【選択図】なし【特許請求の範囲】
【請求項１】
顧客の端末からネットワークを介して商品の購入を電子的に行える電子購買システムにおいて、
前記商品が個々の顧客の希望に従って印刷がなされるものである場合に、顧客の端末にて、顧客に、基本テンプレートを選択させ、付加情報を入力させることにより、商品になされる印刷に対する顧客の希望を取る機能を有することを特徴とする電子購買システム。
【請求項２】
選択された基本テンプレートと、入力された付加情報とから印刷データを生成する機能を有する請求項１に記載の電子購買システム。
【請求項３】
顧客の端末からネットワークを介して商品の購入を電子的に行える電子購買システムが実行する方法であって、
前記商品が個々の顧客の希望に従って印刷がなされるものである場合に、顧客の端末にて、顧客に、基本テンプレートを選択させ、付加情報を入力させることにより、商品になされる印刷に対する顧客の希望を取る工程を含むことを特徴とする電子購買方法。
【請求項４】
選択された基本テンプレートと、入力された付加情報とから印刷データを生成する工程を含むことを特徴とする請求項３に記載の電子購買方法。
【発明の詳細な説明】
【０００１】
【発明の属する技術分野】
本発明は、顧客の端末からネットワークを介して商品の購入を電子的に行える電子購買（電子調達）システムに関し、特に個々の顧客の希望に従って印刷がなされる商品を電子購買システムで購入することを可能にすることに好適に利用できるものである。
【０００２】
【従来の技術】
従来の電子購買システムは、購入申込時に商品の形態や金額を明確にする必要があるため、主に既製品を対象としており、名刺の様に名入れ等の個人情報の印刷により、始めて価値が生ずる商品を対象とすることは困難であった。
【０００３】
また通常、印刷物の注文は、大きく分けて、用紙などの物理的要素と、印刷で表現する情報との２種類の指示を必須としているので、注文段階でその商品の形態を明確にすることは困難であった。
【０００４】
【発明が解決しようとする課題】
本発明は係る従来技術の欠点に鑑みてなされたもので、電子購買システムにおいて、既製品だけでなく、個々の顧客の希望に従って印刷がなされる商品も購入することを可能にすることを課題とする。
【０００５】
【課題を解決するための手段】
本発明において上記の課題を達成するために、まず請求項１の発明では、顧客の端末からネットワークを介して商品の購入を電子的に行える電子購買システムにおいて、
前記商品が個々の顧客の希望に従って印刷がなされるものである場合に、顧客の端末にて、顧客に、基本テンプレートを選択させ、付加情報を入力させることにより、商品になされる印刷に対する顧客の希望を取る機能を有することを特徴とする電子購買システムとしたものである。
【０００６】
また請求項２の発明では、選択された基本テンプレートと、入力された付加情報とから印刷データを生成する機能を有する請求項１に記載の電子購買システムとしたものである。
【０００７】
また請求項３の発明では、顧客の端末からネットワークを介して商品の購入を電子的に行える電子購買システムが実行する方法であって、
前記商品が個々の顧客の希望に従って印刷がなされるものである場合に、顧客の端末にて、顧客に、基本テンプレートを選択させ、付加情報を入力させることにより、商品になされる印刷に対する顧客の希望を取る工程を含むことを特徴とする電子購買方法としたものである。
【０００８】
また請求項４の発明では、選択された基本テンプレートと、入力された付加情報とから印刷データを生成する工程を含むことを特徴とする請求項３に記載の電子購買方法としたものである。
【０００９】
【発明の実施の形態】
以下に、本発明の一実施形態を説明する。
【００１０】
１．構成
本実施形態では、図１に示すように、各顧客の端末と、各納入業者の受注システムとが接続しているネットワークに、本発明の電子購買システムも接続している。
【００１１】
ネットワークは、各顧客の端末と本発明の電子購買システムとの間でデータ通信が可能であり、各納入業者の受注システムと本発明の電子購買システムとの間でデータ通信が可能であれば、その種類や形態に特に制限は無く、例えば、インターネットや専用回線でも良く、また、途中で光通信や無線通信が行なわれるものであっても良い。
また、本発明の電子購買システムにＷＥＢサーバの機能を持たせ、顧客の端末にＷＥＢブラウザをインストールすることにより、本発明の電子購買システムと、顧客の端末との間のデータ通信を、ＷＥＢブラウザを介して行うようにしても良い。
【００１２】
各顧客の端末は、パソコンなどのコンピュータ、或いは携帯電話機などの携帯端末である。
【００１３】
各納入業者の受注システムは、各納入業者の取り扱っている商品の受注を管理するコンピュータシステムである。
【００１４】
本発明の電子購買システムは、電子カタログと、個々の顧客の購買に関する情報（購買情報）とを保管し、電子カタログに掲載されている各納入業者の商品を、ネットワークを介して、各顧客の端末にて購入可能にするコンピュータシステムである。
【００１５】
電子カタログに掲載されている各納入業者の商品には、既製品と、個々の顧客の希望に従って印刷がなされるものとがある。
【００１６】
本発明の電子購買システムは、顧客の端末にて、顧客に、基本テンプレートを選択させ、付加情報を入力させることにより、商品になされる印刷に対する顧客の希望を取る。そして本発明の電子購買システムは、選択された基本テンプレートと、入力された付加情報とから、印刷データを生成する。商品になされる印刷は、この印刷データに基づいてなされる。
【００１７】
基本テンプレートは、文字や画像などで表現される個別の情報を配置すべき位置を既定してあるレイアウトである。例えば、商品が名刺の場合では、基本テンプレートは、氏名、所属、連絡先などの文字で表現される情報や、会社のロゴやマークなどの画像で表現される情報を配置すべき位置を既定しているレイアウトである。
【００１８】
付加情報には、基本テンプレートに配置される文字や画像などで表現される個別の情報そのものと、この情報の様態を指定する情報とがある。例えば、文字で表現される情報の場合、この情報の態様を指定する情報には、文字の書体と大きさがある。
【００１９】
２．処理
以下に、本発明の電子購買システムによる電子購買の処理例を、図２のフローチャートに従って説明する。
【００２０】
ＳＴＥＰ１；
本発明の電子購買システムは、顧客の端末に、電子カタログに掲載の取扱い商品の一覧を表示し、この顧客の端末にて、この顧客に、この一覧から購入する商品を選択させる。
【００２１】
ＳＴＥＰ２；
顧客が選択した商品が既製品であれば、ＳＴＥＰ６に進む。
他方、顧客が選択した商品が個々の顧客の希望に従って印刷がなされるものであれば、ＳＴＥＰ３に進む。
【００２２】
ＳＴＥＰ３；
本発明の電子購買システムは、顧客の端末にて、この顧客に、基本パターンを選択させる。
【００２３】
ＳＴＥＰ４；
本発明の電子購買システムは、顧客の端末にて、この顧客に、付加情報の入力をさせる。
【００２４】
ＳＴＥＰ５；
本発明の電子購買システムは、選択された基本テンプレートと、入力された付加情報とから、印刷データを生成する。
【００２５】
ＳＴＥＰ６；
本発明の電子購買システムは、顧客の端末にて、この顧客に、注文情報を入力させる。この注文情報は、商品の個数や納期など、これまでに顧客が選択又は入力した情報以外に、商品の注文に必要な情報である。
【００２６】
ＳＴＥＰ７；
本発明の電子購買システムは、顧客の端末にて、この顧客に、これまでに顧客が選択又は入力した情報に基づく商品の発注の承認を求める購入申請を行う。
【００２７】
ＳＴＥＰ８；
顧客の端末にて、この顧客が購入申請を承認したならば、ＳＴＥＰ９に進む。
他方、この顧客が購入申請を却下したならば、ＥＮＤに進む。
【００２８】
ＳＴＥＰ９；
本発明の電子購買システムは、承認された購入申請に基づいて、商品の発注を、この商品を取り扱っている納入業者の受注システムに送信する。
尚、顧客が選択した商品が個々の顧客の希望に従って印刷がなされるものである場合、本発明の電子購買システムは、この発注に際して、印刷データも、この商品を取り扱っている納入業者の受注システムに送信する。
【００２９】
３．その他
顧客が選択した商品が個々の顧客の希望に従って印刷がなされるものである場合、本発明の電子購買システムに代わって、この商品を取り扱っている納入業者の受注システムが、選択された基本テンプレートと、入力された付加情報とから、印刷データを生成しても良い。納入業者の受注システムが印刷データを生成する場合、本発明の電子購買システムは、この納入業者の受注システムへの発注に際して、印刷データの代わりに、選択された基本テンプレートと、入力された付加情報とを送信する。
【００３０】
本発明の電子購買システムは、購入申請以前、又は購入申請時、選択された基本テンプレートと、入力された付加情報とに基づいて、或いは印刷データに基づいて、顧客の希望に従って印刷がなされた商品の画像を、顧客の端末に表示しても良い。
【００３１】
【発明の効果】
請求項１及び３の発明は、電子購買システムにおいて、既製品だけでなく、個々の顧客の希望に従って印刷がなされる商品も購入することを可能にするという効果がある。
【００３２】
請求項２及び４の発明は、請求項１及び３の発明の効果に加えて、生成された印刷データに基づいて、顧客の希望に従った印刷がなされた商品を製造することができるという効果がある。
【図面の簡単な説明】
【図１】本発明の電子購買システムに係るシステム構成例を示す図。
【図２】本発明の電子購買システムによる電子購買の処理例を説明するフローチャート。
【図１】
2005018412.tif 000002
【図２】
2005018412.tif 000003